(57)【要約】【課題】この発明は、スチーム施療後の排水トレーのオーバーフローを簡単な構造で検知し制御する装置を提供することを目的とする。【解決手段】本発明の排水トレーのオーバーフロー防止装置は、筐体のトレー挿入口に着脱自在に挿入され、排水を回収して廃棄する箱状の排水トレーを用いた排水装置において、上記トレー内に比重１以下のフロートを設け、該フロートに埋め込んだ磁石と対応する上記筐体内に感磁素子を設け、上記トレー内の排水が満杯になったとき上記感磁素子が上記フロートに埋め込んだ磁石の近接を検知することによりオーバーフロー状態を検出する。また、前記排水トレーの上方に筐体への挿入を検知するための磁石を設ける、前記フロートが板状のプラスチック製であり、前記排水トレーが一部排出口を除いて密閉された箱形状であり、上記板状フロートが上記排水トレー内に立設された支柱を貫通して上下する、あるいは前記排水トレーが透明なプラステックで形成されている。【選択図】      図１０
2004309360.tif 000002
【特許請求の範囲】
【請求項１】
筐体のトレー挿入口に着脱自在に挿入され、排水を回収して廃棄する箱状の排水トレーを用いた排水装置において、
上記トレー内に、検知用磁石を有すると共に該検知用磁石を含む全体の比重が１以下のフロートを設け、該フロートに埋め込んだ上記検知用磁石と対応する前記筐体内の位置に感磁素子を設け、上記トレー内の排水が満杯になったとき上記感磁素子が上記フロートに埋め込んだ磁石の近接を検知することによりオーバーフロー状態を検出することを特徴とする排水トレーのオーバーフロー防止装置。
【請求項２】
前記オーバーフロー状態を検出して警報表示をする、または前記排水を停止させることを特徴とする前記請求項１記載のは排水トレーのオーバーフロー防止装置。
【請求項３】
前記排水トレーに筐体への挿入を検知させるための磁石を設けたことを特徴とする前記請求項１または２記載のは排水トレーのオーバーフロー防止装置。
【請求項４】
前記フロートが板状のプラスチック製であり、前記排水トレーが一部排出口を除いて密閉された箱形状であり、上記板状フロートが上記排水トレー内に立設された支柱を貫通して上下することを特徴とする前記請求項１または２記載のは排水トレーのオーバーフロー防止装置。
【請求項５】
前記排水トレーの筐体及びフロ−トが透明なプラステックで形成されていることを特徴とする前記請求項１〜４の内、いずれか１項記載の排水トレーのオーバーフロー防止装置。
【発明の詳細な説明】
【０００１】
【発明の属する技術分野】
この発明は、美容用のスチーム発生器等から生じる排水の受け皿トレーのオーバーフロー防止装置に関する。
【０００２】
【従来の技術】
美容や医療用に霧状のスチーム（水蒸気）を顔や手等に吹きかける方法が知られている。例えば、図１は美容用のスチーム発生器２を含む筐体１の全体図を示す。図１の３は、筐体１内の電熱釜で発生した細かい霧状のスチーム３が筐体表面の噴出口２から発生しているところを示す。該噴出口２から間違って熱い水滴が飛ぶとやけどをしてしまう危険があるので、筐体内部の釜で発生した水蒸気は途中の経路に設けられたいくつかのトラップ構造により、冷えて水滴化した熱水を回収する機構が設けられている。この構造を図１２に示す。
【０００３】
図１２において、湯釜５１で発生した水蒸気はＪｏｉｎｔ−Ａ（５４）を介してセパレータ５２内を上昇し、ノズル５３から噴出される。上記のように冷えて水滴化した湯滴は矢印５８の如くセパレータ内を下降してセパレータ下部に溜まり、Ｊｏｉｎｔ−Ｂ（５５）を介して湯釜５１に戻る。戻った湯滴はまた水蒸気になるので、基本的に湯釜５１内に水分の残留はない構造であるが、湯釜の構造に段差があることや湯沸かし停止検知点が湯釜底に取り付けられたサーモスタットにより行われる等に起因して上記構造内の水は１００％気化することができず、湯釜の底やＪｏｉｎｔ−Ｃ（５６）内に少量の水が残留する。
【０００４】
また、例えば、給水１００に対して５０しか気化しない場合でも「２度沸かしは水の性質が変化する。」等の理由により、残留水を排出させる必要がある。このようにして残留した熱水は、必要に応じて排水管を経由して筐体下部に設けられた排水トレー１０内に排水される。排水トレー１０は、図４の如く箱形をしていて図１，図２の排水トレー挿入口４内に引き出し可能に挿入されている。
【０００５】
上記スチーム施療の完了後、使用前あるいはその他適当な時に排水トレー内の排水は外部に捨てられる。ただ、いくら冷えて液化したとしても温度は高いので、スチーム施療後直ぐ排水トレーの排水を廃棄する場合、該熱い排水が手に掛かったりするとやけどをする危険がある。また、排水トレーが満杯になったとき、上記排水管の排水をストップさせないと熱水がトレーの周辺に溢れ出てしまうので、排水トレーのオーバーフローを防止することが必要である。
【０００６】
従来、排水装置をもつ排水トレーにおけるオーバーフロー検出は重量検出や電気抵抗変化を検知するものが知られているが、装置が複雑である。また、特開２０００−１３６９５７号公報に示されるように、フロートの上下により上限水位を検出するものが周知であり、実開平１−１６８８３４号公報に示されるように液位検出に感磁素子を用いることも慣用技術である。
【０００７】
しかし、これらは構造が複雑であり、前記排水トレーが満杯になったことを検知するもっと簡単な構造のものが必要であった。
【０００８】
【特許文献１】
特開２０００−１３６５９７２号公報
【特許文献２】
実開平１−１６８８３４号公報
【０００９】
【発明が解決しようとする課題】
この発明は、上記スチーム施療後の排水トレーのオーバーフローを簡単な構造で検知し制御する装置を提供することを目的とする。
【００１０】
【課題を解決するための手段】
上記問題を解決するために、本発明の排水トレーのオーバーフロー防止装置は、筐体のトレー挿入口に着脱自在に挿入され、排水を回収して廃棄する箱状の排水トレーを用いた排水装置において、上記トレー内に、検知用磁石を有すると共に該検知用磁石を含む全体の比重が１以下のフロートを設け、該フロートに埋め込んだ上記検知用磁石と対応する前記筐体内の位置に感磁素子を設け、上記トレー内の排水が満杯になったとき上記感磁素子が上記フロートに埋め込んだ磁石の近接を検知することによりオーバーフロー状態を検出することを特徴とする。さらに、前記オーバーフロー状態を検出して警報表示をする、または前記排水を停止させることを特徴とする。
【００１１】
またさらに、前記排水トレーに筐体への挿入を検知させるための磁石を設けたこと、あるいは、前記フロートが板状のプラスチック製であり、前記排水トレーが一部排出口を除いて密閉された箱形状であり、上記板状フロートが上記排水トレー内に立設された支柱を貫通して上下すること、前記排水トレーの筐体およびフロートが透明なプラステックで形成されていること等を特徴とする。
【００１２】
【発明の実施の形態】
本願発明の実施例を添付の図面に従って説明する。
図１は美容用のスチーム発生器２を含む筐体１の全体図を示し、筐体内の電熱釜で発生した細かい霧状のスチーム３が筐体表面の噴出口２から発生しているところを示す。該噴出口２から間違って熱い水滴が飛ぶとやけどをしてしまう危険があるので、筐体内部の釜で発生した水蒸気は途中の経路で何回も冷えて水滴化した熱水を回収するトラップ機構が設けられている。
【００１３】
前述の如く、図１２において湯釜の底やＪｏｉｎｔ−Ｃ内に残留した熱水や気化しない湯釜中に残留している熱水は、排水管を経由して筐体下部に設けられた排水トレー１０内に排水される。図２は、排水ボタン５を押して排水トレー挿入口４内の排水トレー内に上記残留した熱水を排水するところを示している。
【００１４】
排水トレーは図４の如く、箱形をしていて排水トレー挿入口４内に引き出し可能に挿入されている。また、排水トレー１０内の前方コーナーには２枚の仕切板１２，１３が若干の隙間１４を空けて直角方向に設けられており、上記２枚の仕切板１２，１３及び前記排水トレー１０の側壁で形成される筐体の上部の略正方形の空間のみが排水口１５として外部に開いている。すなわち、該開放された開口部１５以外の筐体上部１６はプラスチック材で覆われており、密閉構造となっている。ただし、排水トレーの内部には図示されない小さな孔が空けられており、該孔は上記排水時の流量を調整する構造となっている。なお、上記トレーの材質は熱伝導性の悪い透明なプラスティックが望ましい。
【００１５】
上記トレーの後方の形状は、図４の１８に示す如く湾曲しており、また一方の端には耳状のリブ１７が突出している。上記湾曲形状やリブ１７は、前記排出トレー挿入口の奥の筐体側に上記形状と合致する形状が設けられているので、上記排水トレーが誤って上下や左右が逆になって前記トレー挿入口に挿入されるのを防止している。
【００１６】
本発明の概念図、図１０，図１１を参照して、以下本発明のオーバーフロー防止動作を説明する。
筐体側の前記排水管の下部（図１０の４５）は、上記トレーがトレー挿入口に挿入された時の上記排水口１５の上方に位置しており、前記排水ボタン５を押して上記排水管から排水される水は上記排水口１５から排水トレー１０内に滴下してトレー内に貯められる。なお、排水トレー挿入口４の上部の筐体には感磁素子（図１０の４３）が設けられており、該感磁素子は前記排水トレーが奥まできちんと挿入されたとき、排水トレーの上部に設けられた磁石（図４の１１）と対応する位置に設けられているので、排水トレーがトレー挿入口４内に奥まで挿入されていない場合は前記排水ボタン５の作用を禁止する。従って、排水トレーが挿入されていない状態で排水管からの排水がなされることはない。すなわち、図１０の排水弁４１が閉じられたままとなる。
【００１７】
また、前記トレー１０の筐体内には、図５に示されるフロート２０が図６に示されるように収納されており、前記筐体上部は板状部材１６（図４）が筐体内の支柱３１，３２の上端にねじ止めまたは接着剤で固着されて組み立てられている。なお、図７は、図６の上面図、図８は図７の側面図を示す。また、図９（ａ）、（ｂ）は上記フロートの上面図及び側面図を示す。上記板状部材１６は前記筐体コーナー１５の部分を切り欠いた形状なので、上記トレー１０は、開放された開口部１５以外の筐体上部１６はプラスチック材で覆われた密閉構造となっている。ただし、前述のごとく、排水トレーの内部には図示されない小さな孔が空けられており、該孔は上記排水時の流量を調整する構造となっている。
【００１８】
また、フロート２０には前記支柱３１，３２が貫通する穴（図５の２１，２２）が設けられており、トレー組み立て時フロート２０は上記支柱３１，３２をガイド部材として上下に摺動可能になっている。該フロート２０は、後述する磁石２７の重量を加味した全体の比重が１以下の材質（プラスチック）から作られているので、前記排水トレー内の排水が増加するにつれてその水位に応じて上昇する。該フロ−ト２０には磁石２７が埋め込まれており、フロート２０がトレー内の満水の位置まで上昇すると、該磁石２７が前記トレー挿入口上部の筐体内に設けられた感磁素子（図１０の４２）に接近する。感磁素子４２の検出出力が生じるとオーバーフローの警報表示を出したり、あるいは前記排水管４１のバルブを締めて排水トレーのオーバーフローを防止する。
【００１９】
このようにして集められた排水は、図３に示す如く、トレーを筐体より引き出し、手に持って傾けることにより上記排水口１５から排水される。なお、前記排水トレー筐体及びフロート等は、全部透明な素材で作られた方が内部が確認できるので好ましい。
【００２０】
【発明の効果】
以上述べたように、この発明の排水トレーのオーバーフロー防止装置は、スチーム施療後の排水トレーのオーバーフローを簡単な構造で検知し制御することができる。
【００２１】
また、本発明の排水オーバーフロー防止装置は、密閉された排水トレー内で２本の支柱をガイドとしてスムーズに上下するフロートにより行われているので、簡単な構造で故障の少ないオーバーフロー防止が実現できる。
【００２２】
また、排水トレー筐体及びフロートは透明な素材で作られているので、内部の状態が一目でわかり、また上記密閉構造によりフロートがはずれることもない。
また、密閉構造のフロートの磁石の接近を感磁素子で非接触で検知しているので、液位検出が容易である。なお、上記密閉構造により、内部の熱水が外に跳ね出る危険が防止される。
【図面の簡単な説明】
【図１】本発明の排水トレーオーバーフロー防止装置が用いられる筐体の全体図である。
【図２】排水時の排水ボタンの操作を示す図である。
【図３】排水トレー内の水を廃棄する動作を示す図である。
【図４】本発明の排水トレー筐体の全体斜視図である。
【図５】本発明の排水トレーオーバーフロー防止装置に用いられるフロートの全体斜視図である。
【図６】図５のフロートが設置された本発明の排水トレーの全体斜視図である。
【図７】図６の上面図である。
【図８】図６の側面図である。
【図９】図５の上面図及び側面図である。
【図１０】本発明の排水トレーオーバーフロー防止装置の全体概念図である。
【図１１】図１０の排水トレー部分を示す図である。
【図１２】本発明のスチーム発生器の排水構造の全体概念図である。
【符号の説明】
１      筐体
２      スチーム
４      排水トレー挿入口
５      排水ボタン
１０      排水トレー
１１      磁石
１２，１３      仕切板
２０      フロート
２７      磁石
３０      排水トレー
【図１】
2004309360.tif 000003
【図２】
2004309360.tif 000004
【図３】
2004309360.tif 000005
【図４】
2004309360.tif 000006
【図５】
2004309360.tif 000007
【図６】
2004309360.tif 000008
【図７】
2004309360.tif 000009
【図８】
2004309360.tif 000010
【図９】
2004309360.tif 000011
【図１０】
2004309360.tif 000012
【図１１】
2004309360.tif 000013
【図１２】
2004309360.tif 000014